(57)【要約】【課題】書籍を購入した顧客や、書籍所有者だけが、電子書籍情報の配信サービスを受けることを可能にした電子書籍情報配信システムを提供する。【解決手段】非接触ＩＣタグを備えた書籍と、ＩＣタグリーダと、ＩＣタグリーダで読み取ったタグＩＤ情報と会員ＩＤ情報とパスワードとをサーバに送信する手段と、電子書籍情報を受信する手段と、表示手段と、を有する通信端末と、サーバには、電子書籍情報データベースと、タグＩＤ情報と会員ＩＤ情報とパスワードとを関連付けて記憶する記憶手段と、受信した会員ＩＤ情報とパスワードが記憶手段に記憶された情報と異なる場合に、受信した会員ＩＤ情報とパスワードを更新して記憶させる照合情報更新手段と、受信した会員ＩＤ情報とパスワードを記憶情報と照合する照合手段と、その照合結果が一致した場合に電子書籍情報を通信端末へ配信する電子書籍情報配信手段と、を備えることを特徴とする。【選択図】        図４
2004192369.tif 000002
【特許請求の範囲】
【請求項１】
電子化された文字・画像情報からなる電子書籍情報を、書籍の所有者だけに限定してサーバから通信端末に配信する電子書籍情報配信システムであって、
タグＩＤ情報が記憶された非接触ＩＣタグを備えた書籍と、
前記書籍の非接触ＩＣタグに記憶されたタグＩＤ情報を読み取るＩＣタグリーダと、
前記ＩＣタグリーダで読み取ったタグＩＤ情報と、前記書籍の所有者の会員ＩＤ情報と、前記所有者だけが知り得るパスワードと、会員ＩＤ情報とを前記サーバに送信する手段と、前記サーバから電子書籍情報を受信する手段と、その受信した電子書籍情報を表示する表示手段と、を有する通信端末と、
前記サーバには、タグＩＤ情報と電子化された文字・画像情報からなる電子書籍情報が関連付けられて登録された電子書籍情報データベースと、前記通信端末から受信したタグＩＤ情報と会員ＩＤ情報とパスワードとを関連付けて記憶する記憶手段と、前記通信端末からタグＩＤ情報と会員ＩＤ情報とパスワードとを受信した際に、受信した会員ＩＤ情報とパスワードが、前記記憶手段に既に記憶されていた会員ＩＤ情報とパスワードと異なる場合に、前記記憶手段の照合情報記憶領域に前記通信端末から受信した会員ＩＤ情報とパスワードを更新して記憶させる照合情報更新手段と、前記通信端末から会員ＩＤ情報とパスワードを受信した際に、その受信した会員ＩＤ情報とパスワードを、前記記憶手段に記憶されている会員ＩＤ情報とパスワードと照合する照合手段と、前記照合手段による照合結果が一致した場合に前記電子書籍情報データベース登録されている電子書籍情報を前記通信端末へ配信する電子書籍情報配信手段と、
を備えることを特徴とする電子書籍情報配信システム。
【発明の詳細な説明】
【０００１】
【発明の属する技術分野】
本発明は、電子化された文字・画像情報からなる電子書籍情報を、書籍の所有者だけに限定してサーバから通信端末に配信する電子書籍情報配信システムに関する。
【０００２】
【従来の技術】
従来、書籍の内容を電子化された文字・画像情報として電子書籍情報からなるデータベースを構築しておき、これらのデータべースを制御するサーバから有料で顧客の通信端末に電子書籍情報を配信することで、書籍を購入しないで書籍内容を電子情報として入手して、その内容を読むことを可能にした電子書籍システムは知られている。（例えば、特許文献１参照）
【０００３】
これらの電子書籍システムは、書籍を購入しないでサーバから通信端末に読みたい電子書籍情報を受信し、通信端末の表示手段に受信した電子書籍情報を表示することで書籍内容の閲覧を可能とするので、通信端末さえあれば複数の異なる書籍内容の電子書籍情報を必要に応じて通信端末の表示手段の映して読めるので便利であるが、書店から書籍を購入した者が、通信端末でも購入した書籍と同じ内容の電子書籍情報を受信して閲覧したくても、新たに電子書籍情報の配信サービスを受けるための申込手続きを行わなければならず手間がかかり不便であるという問題がある。
【０００４】
また、例えば、書店で書籍を購入した者が、書籍を途中まで読み、その続きの内容を外出先の通信端末を使用して、電子書籍情報の配信により読み続けたい場合などには、既に購入した書籍代とは別に、新たに電子書籍情報の配信サービスの料金を支払うなどしなければならず、読者へのサービス上も好ましくないという問題がある。
【０００５】
【特許文献１】
特開２００２−３１２３８０号公報
【０００６】
【発明が解決しようとする課題】
本発明は、書店から書籍を購入した顧客や、書籍の所有者だけが、その購入した書籍や蔵書と同じ内容の電子書籍情報の配信サービスを受けることを可能にした電子書籍情報配信システムを提供する。
【０００７】
【課題を解決するための手段】
本発明の電子書籍情報配信システムは、電子化された文字・画像情報からなる電子書籍情報を、書籍の所有者だけに限定してサーバから通信端末に配信する電子書籍情報配信システムであって、タグＩＤ情報が記憶された非接触ＩＣタグを備えた書籍と、前記書籍の非接触ＩＣタグに記憶されたタグＩＤ情報を読み取るＩＣタグリーダと、前記ＩＣタグリーダで読み取ったタグＩＤ情報と、前記書籍の所有者の会員ＩＤ情報と、前記所有者だけが知り得るパスワードと、会員ＩＤ情報とを前記サーバに送信する手段と、前記サーバから電子書籍情報を受信する手段と、その受信した電子書籍情報を表示する表示手段と、を有する通信端末と、前記サーバには、タグＩＤ情報と電子化された文字・画像情報からなる電子書籍情報が関連付けられて登録された電子書籍情報データベースと、前記通信端末から受信したタグＩＤ情報と会員ＩＤ情報とパスワードとを関連付けて記憶する記憶手段と、前記通信端末からタグＩＤ情報と会員ＩＤ情報とパスワードとを受信した際に、受信した会員ＩＤ情報とパスワードが、前記記憶手段に既に記憶されていた会員ＩＤ情報とパスワードと異なる場合に、前記記憶手段の照合情報記憶領域に前記通信端末から受信した会員ＩＤ情報とパスワードを更新して記憶させる照合情報更新手段と、前記通信端末から会員ＩＤ情報とパスワードを受信した際に、その受信した会員ＩＤ情報とパスワードを、前記記憶手段に記憶されている会員ＩＤ情報とパスワードと照合する照合手段と、前記照合手段による照合結果が一致した場合に前記電子書籍情報データベース登録されている電子書籍情報を前記通信端末へ配信する電子書籍情報配信手段と、を備えることを特徴とする。
【０００８】
【発明の実施の形態】
以下、本発明の実施の形態を図面に基づいて詳細に説明する。
図１は、書籍の奥付け部分に非接触ＩＣタグを貼付した例を示す図、図２は、非接触ＩＣタグの例を示す平面図、図３は、非接触ＩＣタグを書籍の裏表紙に内蔵させた例を示す断面図、図４は、本発明の実施形態に係る電子書籍情報配信システムの構成を示す図、図５は、本発明の実施形態に係る電子書籍情報配信システムのシステムブロック図、図６は、本発明の実施形態に係る電子書籍情報配信システムの処理手順を説明するフローチャートである。
【０００９】
本発明の電子書籍情報配信システムでは、個人が所有する蔵書である書籍に予め非接触ＩＣタグが備えてなる非接触ＩＣタグ付き書籍１（以下、書籍１ともいう。）を使用することを前提とするため、まず、この非接触ＩＣタグ付き書籍１について説明する。
この非接触ＩＣタグ付き書籍１は、書籍の所望の部分に非接触ＩＣタグ３を設けたものであり、非接触ＩＣタグリーダライタでの読み取りや書込みなどが可能であれば、非接触ＩＣタグ３を書籍に設ける部分や仕様は特に限定されるものではない。
ここで、書籍とは、書籍、雑誌、ビデオ、ＤＶＤ、ＣＤなどの著作物を含む。非接触ＩＣタグ３を書籍に貼付する場合は、書籍が電磁遮蔽効果のある金属製の表紙等をもつ場合の他、いずれの箇所に貼付しても構わない。
【００１０】
図２は、書籍１の奥付け部分１ａに非接触ＩＣタグ３を貼付した例である。
非接触ＩＣタグ３は、書籍の表紙や裏表紙などの書籍の外面部分に貼付しても良いが、他の書籍との接触や取り扱い時の物理的外力により剥離することもあるので、表紙の内面側や裏表紙の内面側などの直接外面に表れない部分に設けることが好ましい。
実際には、非接触ＩＣタグ３を書籍の表紙面や表紙裏面、裏表紙面や裏表紙裏面、奥付け部、その他の書籍内の任意な紙面、あるいは表紙カバーやブックケース等に貼付させたり、内蔵させたりする。
【００１１】
図３に示すように、非接触ＩＣタグ３は、通常は金属層を積層した紙やプラスチック基材にアンテナ用のコイルパターン３３を金属層にエッチング形成しＩＣチップ３２を接続することにより形成できる。
非接触ＩＣタグ３に記録する事項としては、例えば、ＩＣタグの識別コードであるタグＩＤ情報、書籍の識別コードである書籍ＩＤ情報、書名、発行所名、発行日、著者名、版数、売価などがある。
タグＩＤ情報や書籍ＩＤ情報は、タグまたは書籍毎に重複したコードを付することを避けため、コード付与の統一した管理基準を設ける必要がある。
【００１２】
図３は、非接触ＩＣタグ３の例を示す図である。
非接触ＩＣタグ３は非接触データキャリアやＲＦ−ＩＤともいわれ、プラスチック等の基材３１にコイルパターン３３を形成し、当該コイルと容量素子とにより共振回路を形成して一定周波数の電波を受信し送信することができる。
また、他の方式として、リーダライタからの搬送波の電磁誘導により電力伝送及びデータ伝送を行うようにしてもよい。
一般的には１３５ｋＨｚ（中波）、１３．５６ＭＨｚ、２．４５ＧＨｚ（マイクロ波）の周波数帯が使用される。
図示した例の場合、コイルパターン３３は導通部材３４により基材３１の裏面でジャンピング回路を形成してコイル接続端子３３ＣによりＩＣチップ３２の裏面のバンプに接続している。
【００１３】
図示した例では、容量素子はＩＣチップ３２に内蔵されている。
このような非接触ＩＣタグ３は、樹脂基材にラミネートしたアルミ箔等の金属箔をフォトエッチングやレジスト印刷後のエッチングによりコイルパターン３３を形成し、ＩＣチップ３２を装着し、保護用の被覆を設けることにより形成することができる。
その大きさも３０ｍｍ×３０ｍｍ程度以下のサイズとすることができる。
【００１４】
非接触ＩＣタグ３に使用する樹脂基材３１としては、ＰＥＴやポリプロピレン、ポリエチレン、ポリスチレン、ナイロン等の各種材料を使用することができ紙であってもよい。
厚みは１５〜３００μｍが使用できるが、強度、加工作業性、コスト等の点から２０〜１００μｍがより好ましい。
金属箔としては銅箔やアルミ箔あるいは鉄箔を使用できるが、コスト、加工性からアルミ箔が好ましく、その厚みは６〜５０μｍ程度が好ましい。
【００１５】
これらの記録した情報の読み取りは、非接触ＩＣタグ３対して共振する呼び出し信号を発信し、数ｃｍから数十ｃｍの距離でタグからの応答信号を読み、且つタグに記録することができる。
装置としては固定した常設のリーダライタ付きターミナルやのほか、無線式のハンディー通信端末等を使用することができる。
【００１６】
また、図４には、非接触ＩＣタグ３を２枚の紙片３５ａ，３５ｂの間に挟み込んだ状態の断面図を示しているが、このように書籍の表紙や裏表紙等の書籍の一部を構成する紙片に非接触ＩＣタグ３を内蔵させると、外観上も通常の書籍と違和感がないので好ましい。
【００１７】
次に、本発明の実施形態に係る電子書籍情報配信システムの概要を、図１に基づいて説明する。
図１に示すように、予め会員化された本システムの利用者の自宅４には、蔵書として本棚５などに複数の非接触ＩＣタグ付き書籍１が保管されているものとする。
更に、利用者の自宅４には、パソコンなどの通信端末６と、無線式ハンディータイプのＩＣタグリーダ７と、この通信端末６に接続されＩＣタグリーダ７との間で非接触により信号の送受信を行うアンテナ装置８と、が設けられている。
【００１８】
尚、これら無線式ハンディータイプのＩＣタグリーダ７の代わりに、有線式のＩＣタグリーダを使用してもよく、その場合には、アンテナ装置８を設けないで、そのＩＣタグリーダ７を直接、通信端末６に接続する。
また、通信端末６には、インターネット９を介して情報管理センター１０のウェブサーバ１１と通信可能に接続する通信手段２２と、表示手段２３と、入力手段２４と、記憶手段２５と、制御手段２６とが備えられている。
【００１９】
利用者自身の蔵書である書籍１に、ＩＣタグリーダ７を近づけることで書籍１に備えられている非接触ＩＣタグ３に記憶されているタグＩＤ情報等の情報を読み取ることができるようにしてあり、更に、インターネット９を介して情報管理センター１０に備えられているウェブサーバ１１に対して、タグＩＤ情報を送信できるようにしてある。
また、通信端末６からウェブサーバ１１にタグＩＤ情報を送信する際には、通信端末６から利用者である書籍の所有者を特定することが可能な会員ＩＤ情報と、利用者である書籍の所有者だけが知り得るパスワードとを同時に送信することで、送信者の特定とセキュリティ性の確保ができるようにしてある。
これらの会員ＩＤ情報とパスワードは、通信端末６の記憶手段に予め記憶させておいてもよいし、また通信端末６の入力手段２４からその所有者が入力してもよい。
【００２０】
ウェブサーバ１１には、会員情報データベース１２と、蔵書情報データベース１３と、電子書籍情報データベース１４とが備えられている。
会員情報データベース１２には、予め利用者を会員化させることで、利用者の個人情報と、各利用者毎に定めた固有の会員番号とを関連付けて登録させてある。
会員の個人情報としては、メールアドレス、氏名、住所、電話番号、生年月日、性別、などがある。
【００２１】
蔵書情報データベース１３には、少なくとも、利用者の通信端末６から送られてきた書籍ＩＤ情報が、それらの書籍１を保有している利用者の会員番号と関連付けられて登録されており、この他に、例えば書籍名、作者、発行者などが会員番号と関連付けられて登録されている。
【００２２】
電子書籍情報データベース１４には、書籍の内容としての電子化された文字・画像情報からなる電子書籍情報が登録され、これらの電子書籍情報はタグＩＤ情報と関連付けられて登録され、インターネット９を介して通信端末６により入手して通信端末６の表示手段に映し出して閲覧することが可能にしてある。
尚、上記の電子化された文字・画像情報には、押絵や図形なども含まれる。
【００２３】
更に、情報管理センター１０のウェブサーバ１１には、インターネット９を介して通信端末６と通信を行う通信手段４０と、書籍の所有者の通信端末６からインターネット９を介して受信した、タグＩＤ情報と会員ＩＤ情報とパスワードとを関連付けて記憶する記憶手段４１と、書籍の所有者の通信端末６から、タグＩＤ情報と会員ＩＤ情報とパスワードとを受信した際に、受信したパスワードが記憶手段４１に既に記憶されていたパスワードと異なる場合に、その記憶手段４１の照合情報記憶領域に、通信端末６から受信したパスワードを更新して記憶させる照合情報更新手段４２とを備えている。
【００２４】
また、更にウェブサーバ１１には、通信端末６から会員ＩＤ情報とパスワードを受信した際に、その受信したパスワードとウェブサーバ１１の記憶手段に記憶されているパスワードとを照合する機能を有する照合手段４３と、この照合手段４３による照合処理の結果が一致した場合に、電子書籍情報データベース１４に登録されている電子書籍情報を、インターネット９を介して書籍の所有者の通信端末６へ配信する電子書籍情報配信手段４４と、制御手段４５と、ＩＣタグデータベースセンター１６のサーバ１７と専用線４７を介して情報の送受信を行うインターフェース４６を備えている。
【００２５】
また、ＩＣタグデータベースセンター１６のサーバ１７には、出版された書籍について、書店などでの流通過程における在庫情報として、タグＩＤ情報と関連付けられて書籍名、作者、発行者などの情報が登録されている在庫書籍データベース２０と、またタグＩＤ情報と関連付けられて出版された書籍の書籍名、作者、発行者、書籍内容などの情報が登録されている書誌データベース２１とが備えられている。
更にサーバ１７には、ＩＣタグデータベースセンター１６のサーバ１７と専用線４７を介して情報の送受信を行うインターフェース４８と、在庫書籍データベース２０又は書誌データベース２１に登録されている情報を、ウェブサーバ１１から受信したタグＩＤ情報に基づいて検索する検索手段４９と、制御手段５０とを備えている。
【００２６】
また、情報管理センター１０のウェブサーバ１１には、インターネット９及び携帯電話回線網５１を介して携帯電話機５２からもアクセス可能に接続されていて、携帯電話機５２から情報管理センター１０の蔵書情報データベース１３と電子書籍情報データベース１４に登録されている蔵書情報と電子書籍情報とを検索してそれらの情報を入手できるようにしてある。
【００２７】
次に、本発明の電子書籍情報配信システムの処理手順を、図６のフローチャートに基づいて説明する。
まず、予め会員化された利用者（所有者とも言う。）が書店などで書籍を購入したとする。
その利用者である書籍の所有者は、自宅４にその書籍を持ち帰った後に、書籍１をＩＣタグリーダ７に近づけることで、書籍１に備えられている非接触ＩＣタグ３に記憶されているタグＩＤ情報を読み取る。（ステップＳ１）
次に、ＩＣタグリーダ７で読み取られたタグＩＤ情報は、通信端末６からインターネット９を介して情報管理センター１０に備えられているウェブサーバ１１に対して、このタグＩＤ情報を送信するが、その際に、会員ＩＤ情報とパスワードも同時に送信する。（ステップＳ２）
【００２８】
通信端末６からウェブサーバ１１が、タグＩＤ情報と会員ＩＤ情報とパスワードとを受信した際に、その書籍が過去に他人が所有し、既にその他人が会員ＩＤ情報とパスワードの登録を記憶手段に行なっていた場合には、その受信した会員ＩＤ情報とパスワードとを、ウェブサーバ１１の記憶手段４１に既に記憶されている会員ＩＤ情報とパスワードと照合して、照合不一致で異なる場合には、照合情報更新手段４２により、記憶手段４１の照合情報記憶領域に既に記憶されている会員ＩＤ情報とパスワードを消去して、今回受信した会員ＩＤ情報とパスワードに更新して記憶手段４１に記憶させる。（ステップＳ３）
また、購入した書籍が新刊本などで初めて顧客に販売された書籍である場合には、記憶手段に会員ＩＤ情報とパスワードが登録されていないので、受信した会員ＩＤ情報とパスワードを記憶手段４１に登録する。
【００２９】
この会員ＩＤ情報とパスワードに更新処理は、ウェブサーバ１１でのタグＩＤ情報の受信がなければ行えないようにしてあり、従って、その書籍１を購入したり、譲渡などで入手した書籍の所有者だけが行えるものであり、記憶手段４１の唱導情報記憶領域に記憶されている会員ＩＤ情報とパスワードを書籍の所有者だけが換えられるようにすることで、過去にその書籍を所有していた者がアクセスしたとしても、記憶手段４１に記憶されている会員ＩＤ情報とパスワードが異なるので、照合手段４３による会員ＩＤ情報とパスワードに基づく照合処理で不一致の結果となり、これによりウェブサーバ１１から通信端末６への電子書籍情報の配信処理が拒否されるようにシステム化されている。
【００３０】
また、今回の処理では、通信端末６からウェブサーバ１１に対してタグＩＤ情報が送信されているので、間違いなく書籍１の所有者であると認定されるので、電子書籍情報配信手段４４により、電子書籍情報データベース１４に登録されている電子書籍情報がインターネット９を介してウェブサーバ１１から通信端末６へと配信される。（ステップＳ４）
そして、通信端末６へ配信された電子書籍情報は、通信端末６の表示手段２３に映し出されて、書籍の所有者が閲覧することができる。（ステップＳ５）
【００３１】
通信端末６からウェブサーバ１１に、タグＩＤ情報と会員ＩＤ情報とパスワードを送信して、ウェブサーバ１１の記憶手段４１に会員ＩＤ情報とパスワードの更新登録を行った後においては、次に電子書籍情報を入手したい場合には、会員ＩＤ情報とパスワードを通信端末６からウェブサーバ１１に送信することで、照合手段４３により、既に記憶手段４１に記憶されている会員ＩＤ情報とパスワードとの照合処理を行うことで、照合一致した場合にだけ、通信端末６に対して電子書籍情報の配信が行われる。
また、もしも照合不一致した場合には、電子書籍情報の配信は行われない。
【００３２】
また、上記の例では、書籍の所有者が、自宅４にその書籍を持ち帰った後に、書籍１をＩＣタグリーダ７に近づけることで、書籍１に備えられている非接触ＩＣタグ３に記憶されているタグＩＤ情報を読み取るようにしたが、必ずしも自宅でタグＩＤ情報を読み取らなくてもよく、例えば、書店にパソコンが置いてあって、その書店のパソコンで会員ＩＤとパスワードを入力することで、蔵書登録を行なってもよい。
また、書籍の所有者が、ＩＣタグリーダ付き携帯電話を使用して、これにより会員ＩＤとパスワードを読み取り、蔵書登録を行なってもよい。
【００３３】
【発明の効果】
以上説明したように、本発明の電子書籍情報配信システムは、タグＩＤ情報が記憶された非接触ＩＣタグを備えた書籍の所有者だけが、照合情報の更新を行えるので、書店から書籍を購入した顧客や、書籍の所有者だけが、その購入した書籍や蔵書と同じ内容の電子書籍情報の配信サービスを受けることができるという効果がある。
【図面の簡単な説明】
【図１】書籍の奥付け部分に非接触ＩＣタグを貼付した例を示す図である。
【図２】非接触ＩＣタグの例を示す平面図である。
【図３】非接触ＩＣタグを書籍の裏表紙に内蔵させた例を示す断面図である。
【図４】本発明の実施形態に係る電子書籍情報配信システムの構成を示す図である。
【図５】本発明の実施形態に係る電子書籍情報配信システムのシステムブロック図である。
【図６】本発明の実施形態に係る電子書籍情報配信システムの処理手順を説明するフローチャートである。
【符号の説明】
１  書籍
１ａ  書籍の奥付け部分
３  非接触ＩＣタグ
４  利用者の自宅
５  本棚
６  通信端末
７  ＩＣタグリーダ
９  インターネット
１０  情報管理センター
１１  ウェブサーバ
１２  会員情報データベース
１３  蔵書情報データベース
１４  電子書籍情報データベース
１６  ＩＣタグデータベースセンター
１７  サーバ
２０  在庫書籍データベース
２１  書誌データベース
２２，４０，４９  通信手段
２３  表示手段
２４  入力手段
２５，４１  記憶手段
２６，４５，５０  制御手段
３１  基材
３２  ＩＣチップ
３３  コイルパターン
３３Ｃ  コイル接続端子
３４  導通部材
３５ａ，３５ｂ  紙片
４２  照合情報更新手段
４３  照合手段
４４  電子書籍情報配信手段
４６，４８  インターフェース
４９  検索手段
５１  携帯電話回線網
５２  携帯電話機
【図１】
2004192369.tif 000003
【図２】
2004192369.tif 000004
【図３】
2004192369.tif 000005
【図４】
2004192369.tif 000006
【図５】
2004192369.tif 000007
【図６】
2004192369.tif 000008